【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
印刷対象をページ記述言語で記述した編集レイアウトデータを受け取り、当該編集レイアウトデータに対してＲＩＰ処理を施すと共に印刷に必要なアクセサリを付加することによって得られるビットマップ形式の画像データを、デジタル印刷機に転送するデジタル印刷機用コントローラであって、
前記ビットマップ形式の画像データが転送されるべきデジタル印刷機における印刷に必要なアクセサリの種別および位置の指定を含む出力条件を、ユーザの操作に基づき設定する出力条件設定手段と、
前記ビットマップ形式の画像データを前記デジタル印刷機へ転送する前に、前記出力条件設定手段によって設定された出力条件に従って、当該転送すべき画像データの表す画像をアクセサリ付き印刷イメージとして出力する確認用出力手段とを備え、
前記出力条件設定手段は、前記ビットマップ形式の画像データが転送されるべきデジタル印刷機の機種を指定するための操作に基づき前記出力条件を設定することを特徴とするデジタル印刷機用コントローラ。
【請求項２】
前記出力条件設定手段は、前記印刷に必要なアクセサリに捨てべたが含まれる場合に、前記編集レイアウトデータに対してＲＩＰ処理を施すことによって得られるビットマップ形式のデータに基づき当該捨てべたの色を決定する色決定手段を含むことを特徴とする、請求項１に記載のデジタル印刷機用コントローラ。
【請求項３】
前記出力手段は、前記アクセサリ付き印刷イメージを表示する表示手段を含むことを特徴とする、請求項１に記載のデジタル印刷機用コントローラ。
【請求項４】
前記出力手段は、前記アクセサリ付き印刷イメージを校正のためにプリント出力するプリント手段を含むことを特徴とする、請求項１に記載のデジタル印刷機用コントローラ。
【請求項５】
前記ビットマップ形式の画像データが転送され得るデジタル印刷機の印刷用紙のサイズおよび／または印刷有効サイズを予め登録する登録手段を更に備え、
前記出力手段は、前記登録された印刷用紙のサイズおよび／または印刷有効サイズに基づき、前記ビットマップ形式の画像データが転送されるべきデジタル印刷機の印刷用紙のサイズおよび／または印刷有効サイズを示す画像を前記アクセサリ付き印刷イメージと共に出力する手段を含むことを特徴とする、請求項１に記載のデジタル印刷機用コントローラ。
【請求項６】
印刷対象を構成する部品を編集しレイアウトすることにより、当該印刷対象をページ記述言語で記述した編集レイアウトデータを作成するためのフロントエンドコンピュータと、
請求項１に記載の複数のデジタル印刷機用コントローラと、
前記複数のデジタル印刷機用コントローラのそれぞれに少なくとも１台ずつ接続され、接続されたデジタル印刷機用コントローラから転送される前記ビットマップ形式の画像データに基づき印刷を実行するデジタル印刷機と、
前記複数のデジタル印刷機用コントローラと前記フロントエンドコンピュータとを通信可能に接続する通信ネットワークと
を備えることを特徴とする編集印刷システム。
【請求項７】
デジタル印刷機で印刷される画像におけるレイアウトを確認するための印刷レイアウト確認方法であって、
前記デジタル印刷機での印刷に必要なアクセサリを印刷対象の画像に付加することにより得られるビットマップ形式の画像データを前記デジタル印刷機に転送するコントローラにおいて、前記デジタル印刷機での印刷に必要なアクセサリの種別および位置の指定を含む出力条件を、ユーザの操作に基づき設定する出力条件設定ステップと、
前記ビットマップ形式の画像データを前記デジタル印刷機へ転送する前に、前記設定された出力条件に従って、当該転送すべき画像データの表す画像をアクセサリ付き印刷イメージとして出力する確認用出力ステップとを備え、
前記出力条件設定ステップでは、前記ビットマップ形式の画像データが転送されるべきデジタル印刷機の機種を指定するための操作に基づき前記出力条件が設定され、
前記確認用出力ステップにて出力されたアクセサリ付き印刷イメージにより前記レイアウトを事前に確認することを特徴とする印刷レイアウト確認方法。
【請求項８】
デジタル印刷機で印刷される画像におけるレイアウトを確認するためのプログラムを記録したコンピュータ読み取り可能な記録媒体であって、
前記デジタル印刷機での印刷に必要なアクセサリを印刷対象の画像に付加することにより得られるビットマップ形式の画像データを前記デジタル印刷機に転送するコントローラにおいて、前記デジタル印刷機での印刷に必要なアクセサリの種別および位置の指定を含む出力条件を、ユーザの操作に基づき設定する出力条件設定ステップと、
前記ビットマップ形式の画像データを前記デジタル印刷機へ転送する前に、前記設定された出力条件に従って、当該転送すべき画像データの表す画像をアクセサリ付き印刷イメージとして出力する確認用出力ステップと
をコンピュータに実行させ、
前記出力条件設定ステップでは、前記ビットマップ形式の画像データが転送されるべきデジタル印刷機の機種を指定するための操作に基づき前記出力条件が設定されることを特徴とするプログラムを記録した記録媒体。
【請求項９】
デジタル印刷機で印刷される画像におけるレイアウトを確認するためのプログラムであって、
前記デジタル印刷機での印刷に必要なアクセサリを印刷対象の画像に付加することにより得られるビットマップ形式の画像データを前記デジタル印刷機に転送するコントローラにおいて、前記デジタル印刷機での印刷に必要なアクセサリの種別および位置の指定を含む出力条件を、ユーザの操作に基づき設定する出力条件設定ステップと、
前記ビットマップ形式の画像データを前記デジタル印刷機へ転送する前に、前記設定された出力条件に従って、当該転送すべき画像データの表す画像をアクセサリ付き印刷イメージとして出力する確認用出力ステップと
をコンピュータに実行させ、
前記出力条件設定ステップでは、前記ビットマップ形式の画像データが転送されるべきデジタル印刷機の機種を指定するための操作に基づき前記出力条件が設定されることを特徴とするプログラム。
【手続補正２】
【補正対象書類名】明細書
【補正対象項目名】０００６
【補正方法】変更
【補正の内容】
【０００６】
【課題を解決するための手段および発明の効果】
第１の発明は、印刷対象をページ記述言語で記述した編集レイアウトデータを受け取り、当該編集レイアウトデータに対してＲＩＰ処理を施すと共に印刷に必要なアクセサリを付加することによって得られるビットマップ形式の画像データを、デジタル印刷機に転送するデジタル印刷機用コントローラであって、
前記ビットマップ形式の画像データが転送されるべきデジタル印刷機における印刷に必要なアクセサリの種別および位置の指定を含む出力条件を、ユーザの操作に基づき設定する出力条件設定手段と、
前記ビットマップ形式の画像データを前記デジタル印刷機へ転送する前に、前記出力条件設定手段によって設定された出力条件に従って、当該転送すべき画像データの表す画像をアクセサリ付き印刷イメージとして出力する確認用出力手段とを備え、
前記出力条件設定手段は、前記ビットマップ形式の画像データが転送されるべきデジタル印刷機の機種を指定するための操作に基づき前記出力条件を設定することを特徴とする。


【手続補正３】
【補正対象書類名】明細書
【補正対象項目名】０００７
【補正方法】変更
【補正の内容】
【０００７】
このような第１の発明によれば、デジタル印刷機用コントローラにおいて、アクセサリ付き印刷イメージを出力することにより、デジタル印刷機で印刷される画像におけるレイアウト（印刷レイアウト）を事前に確認することができる。これにより、デジタル印刷機における製版コストや印刷コストの低減が可能となる。ここで、付加すべきアクセサリはデジタル印刷機に依存するが、デジタル印刷機用コントローラでは効率よくアクセサリの付加が行え、フロントエンドでは使用すべきデジタル印刷機の機種を考慮する必要がない。また、デジタル印刷機用コントローラでは、印刷に使用されるデジタル印刷機の用紙サイズや印刷有効サイズを示す情報も得られるので、アクセサリ付き印刷イメージが印刷用紙や印刷有効サイズからはみ出さないか否かも容易に調べることができる。さらに、印刷に使用するデジタル印刷機の機種指定に基づき出力条件が設定されるので、印刷のためにユーザに必要とされる操作が容易となり、１台のコントローラに複数台のデジタル印刷機が接続される場合に特に有効である。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
第２の発明は、第１の発明において、
前記出力条件設定手段は、前記印刷に必要なアクセサリに捨てべたが含まれる場合に、前記編集レイアウトデータに対してＲＩＰ処理を施すことによって得られるビットマップ形式のデータに基づき当該捨てべたの色を決定する色決定手段を含むことを特徴とする。


【手続補正７】
【補正対象書類名】明細書
【補正対象項目名】００１１
【補正方法】変更
【補正の内容】
【００１１】
このような第２の発明によれば、捨てべたの色をユーザが決定する必要がなくなるので、出力条件の設定が容易となる。しかも、印刷対象の画像を表すビットマップ形式のデータに基づき捨てべたの色が決定されるので、デジタル印刷機での印刷に使用される各色のインキ量が平均化されるよう、捨てべたの色の適切な決定が可能となる。


【手続補正８】
【補正対象書類名】明細書
【補正対象項目名】００１２
【補正方法】変更
【補正の内容】
【００１２】
第３の発明は、第１の発明において、
前記出力手段は、前記アクセサリ付き印刷イメージを表示する表示手段を含むことを特徴とする。


【手続補正９】
【補正対象書類名】明細書
【補正対象項目名】００１３
【補正方法】変更
【補正の内容】
【００１３】
第４の発明は、第１の発明において、
前記出力手段は、前記アクセサリ付き印刷イメージを校正のためにプリント出力するプリント手段を含むことを特徴とする。


【手続補正１０】
【補正対象書類名】明細書
【補正対象項目名】００１４
【補正方法】変更
【補正の内容】
【００１４】
第５の発明は、第１の発明において、
前記ビットマップ形式の画像データが転送され得るデジタル印刷機の印刷用紙のサイズおよび／または印刷有効サイズを予め登録する登録手段を更に備え、
前記出力手段は、前記登録された印刷用紙のサイズおよび／または印刷有効サイズに基づき、前記ビットマップ形式の画像データが転送されるべきデジタル印刷機の印刷用紙のサイズおよび／または印刷有効サイズを示す画像を前記アクセサリ付き印刷イメージと共に出力する手段を含むことを特徴とする。


【手続補正１１】
【補正対象書類名】明細書
【補正対象項目名】００１５
【補正方法】変更
【補正の内容】
【００１５】
このような第５の発明によれば、デジタル印刷機で印刷されるべきアクセサリ付き印刷イメージがその印刷機の印刷用紙サイズおよび／または印刷有効サイズを示す画像とともに事前に出力されるので、アクセサリ付き印刷イメージが印刷用紙や印刷有効サイズからはみ出さないか否かを容易に確認できる。


【手続補正１２】
【補正対象書類名】明細書
【補正対象項目名】００１６
【補正方法】変更
【補正の内容】
【００１６】
第６の発明は、編集印刷システムであって、
印刷対象を構成する部品を編集しレイアウトすることにより、当該印刷対象をページ記述言語で記述した編集レイアウトデータを作成するためのフロントエンドコンピュータと、
第１の発明に係る複数のデジタル印刷機用コントローラと、
前記複数のデジタル印刷機用コントローラのそれぞれに少なくとも１台ずつ接続され、接続されたデジタル印刷機用コントローラから転送される前記ビットマップ形式の画像データに基づき印刷を実行するデジタル印刷機と、
前記複数のデジタル印刷機用コントローラと前記フロントエンドコンピュータとを通信可能に接続する通信ネットワークとを備えることを特徴とする。


【手続補正１３】
【補正対象書類名】明細書
【補正対象項目名】００１７
【補正方法】変更
【補正の内容】
【００１７】
このような第６の発明によれば、デジタル印刷機用コントローラにおいて出力条件が設定され、その出力条件に従って確認用出力手段により出力されるアクセサリ付き印刷イメージによって、印刷レイアウトを事前に確認できる。このため、効率よく正確に印刷レイアウトを確認することができ、フロントエンドでは、使用すべきデジタル印刷機の機種を考慮する必要がない。したがって、フロントエンドでの編集レイアウトデータの作成作業が終了した時点で空いているデジタル印刷機にその編集レイアウトデータを転送できるので、編集印刷システムにおけるデジタル印刷機の稼働率が向上するという効果がある。


【手続補正１４】
【補正対象書類名】明細書
【補正対象項目名】００１８
【補正方法】変更
【補正の内容】
【００１８】
第７の発明は、デジタル印刷機で印刷される画像におけるレイアウトを確認するための印刷レイアウト確認方法であって、
前記デジタル印刷機での印刷に必要なアクセサリを印刷対象の画像に付加することにより得られるビットマップ形式の画像データを前記デジタル印刷機に転送するコントローラにおいて、前記デジタル印刷機での印刷に必要なアクセサリの種別および位置の指定を含む出力条件を、ユーザの操作に基づき設定する出力条件設定ステップと、
前記ビットマップ形式の画像データを前記デジタル印刷機へ転送する前に、前記設定された出力条件に従って、当該転送すべき画像データの表す画像をアクセサリ付き印刷イメージとして出力する確認用出力ステップと
を備え、
前記出力条件設定ステップでは、前記ビットマップ形式の画像データが転送されるべきデジタル印刷機の機種を指定するための操作に基づき前記出力条件が設定され、
前記確認用出力ステップにて出力されたアクセサリ付き印刷イメージにより前記レイアウトを事前に確認することを特徴とする。


【手続補正１５】
【補正対象書類名】明細書
【補正対象項目名】００１９
【補正方法】変更
【補正の内容】
【００１９】
第８の発明は、デジタル印刷機で印刷される画像におけるレイアウトを確認するためのプログラムを記録したコンピュータ読み取り可能な記録媒体であって、
前記デジタル印刷機での印刷に必要なアクセサリを印刷対象の画像に付加することにより得られるビットマップ形式の画像データを前記デジタル印刷機に転送するコントローラにおいて、前記デジタル印刷機での印刷に必要なアクセサリの種別および位置の指定を含む出力条件を、ユーザの操作に基づき設定する出力条件設定ステップと、
前記ビットマップ形式の画像データを前記デジタル印刷機へ転送する前に、前記設定された出力条件に従って、当該転送すべき画像データの表す画像をアクセサリ付き印刷イメージとして出力する確認用出力ステップと
をコンピュータに実行させ、
前記出力条件設定ステップでは、前記ビットマップ形式の画像データが転送されるべきデジタル印刷機の機種を指定するための操作に基づき前記出力条件が設定されることを特徴とするプログラムを記録したことを特徴とする。


【手続補正１６】
【補正対象書類名】明細書
【補正対象項目名】００２０
【補正方法】変更
【補正の内容】
【００２０】
第９の発明は、デジタル印刷機で印刷される画像におけるレイアウトを確認するためのプログラムであって、
前記デジタル印刷機での印刷に必要なアクセサリを印刷対象の画像に付加することにより得られるビットマップ形式の画像データを前記デジタル印刷機に転送するコントローラにおいて、前記デジタル印刷機での印刷に必要なアクセサリの種別および位置の指定を含む出力条件を、ユーザの操作に基づき設定する出力条件設定ステップと、
前記ビットマップ形式の画像データを前記デジタル印刷機へ転送する前に、前記設定された出力条件に従って、当該転送すべき画像データの表す画像をアクセサリ付き印刷イメージとして出力する確認用出力ステップと
をコンピュータに実行させ、
前記出力条件設定ステップでは、前記ビットマップ形式の画像データが転送されるべきデジタル印刷機の機種を指定するための操作に基づき前記出力条件が設定されることを特徴とする。